(57)【要約】      （修正有）【課題】ボディタオルの機能性を向上させて低コストで実用性の高いボディタオルを提供する。【解決手段】中心から略半面部を肌当たりの比較的硬質の組成とするとともに、残り反面部を肌当たりの比較的軟質の組成とする。【選択図】図２
0003161657.tif 000002
【実用新案登録請求の範囲】
【請求項１】
経糸と緯糸により組成されたボディタオルの中心より略半面部を肌当たりの比較的硬質の組成とするとともに、残り反面部を肌当たりの比較的軟質の組成としたことを特徴とするボディタオル。
【請求項２】
経糸と緯糸により中心より略半面部を肌当たりが比較的硬質に組成するとともに、残り半面部を、略等間隔に引き揃えられた複数本の経糸を、所定の間隔の空部を介して繰り返し配置するとともに、該経糸に対し、緯糸を打ち込んで該緯糸の前記空部に対応する部分が渡り糸となるようにすることにより肌当たりが比較的軟質の組成としたことを特徴とするボディタオル。
【考案の詳細な説明】
【技術分野】
【０００１】
本考案は、主として皮膚洗浄の目的で風呂場等において用いられる各種の繊維製ボディタオルの改良に関し、１枚のボディタオルによって、とくに顔や腕などにはふんわりした軟質の接触感覚を有するとともに、背中や足裏面などには垢擦り効果の大きな比較的硬質の接触感覚を有し、身体の使用箇所における皮膚面の性状如何により自由に使い分け可能とするとともに、さらに軟質の接触感覚を有する部分においては泡立ち性をさらに向上させることを目的とする。
【背景技術】
【０００２】
既知のボディタオルとしては、マッサージ効果や垢擦り効果を高めるために、天然繊維製の布生地の緯糸に対し、太い意匠撚糸を一定の間隔を隔てて平行して織り込み、またこの太い意匠撚糸の間に細い意匠撚糸を挟装状態にて織り込むようにしたもの（特開２００２−１９１５２７号公報参照）が知られている。
【０００３】
また適度の皮膚刺激、洗浄性、速乾性、寸法安定性を向上する目的のもとに、速乾性及び吸水性等を有する基布経糸部と、泡立ち、速乾性、軽量性および寸法安定性等を有する基布緯糸部に、パイナップル繊維等の粗剛性天然繊維からなるパイル糸条部とを組合わせて風合い測定数値に基づく所望の硬さ等が得られるようにしたもの（特開平９−１３１２７６号公報参照）も知られている。
【０００４】
さらにその後、泡立ち性を向上させる目的から、経糸と緯糸とで織成するボディタオルを、モノフィラメント糸からなる経糸の複数本を略等間隔置きに引き揃えるとともに、この引き揃えられた複数の経糸を、所定間隔の空を設けた状態で繰り返し配置するとともに、この経糸にモノフィラメントの緯糸を打ち込むことにより、前記空を設けた部分の緯糸が渡り糸となったタオル素材を熱処理することにより、前記渡り糸となっている緯糸部分が表裏の少なくとも一方に曲成されて突出するようにしたボディタオルおよびその製造法が本考案者らによって開発された（特許第４３８５０２９号公報参照）。
【先行技術文献】
【特許文献】
【０００５】
【特許文献１】特開２００２−１９１５２７号公報
【特許文献２】特開平９−１３１２７６号公報
【特許文献３】特許第４３８５０２９号公報
【考案の概要】
【考案が解決しようとする課題】
【０００６】
しかしながら、上記した特許文献１および特許文献２に記載されているものにあっては、天然繊維製の布生地の緯糸間に、太い意匠撚糸を平行して織り込むためにたとえばウオータージェットルームやエアージェットルームのような高生産性の織機を用いて生産することが困難であるところから必然的に杼式あるいはレピア式の織機によることになるために生産性が悪い。
【０００７】
また繊度の大きな糸や意匠撚糸を用いる場合においては、組織が複雑化するばかりでなくコスト高となる問題もある。さらに特許文献３に開示されているものにあっては、泡立ち性が向上し、しかも生産性の向上が見込まれるものの、実際の使用にあたっては顔や腕などの皮膚面に対するソフト感が向上し、しかも良好な泡立ちによる洗浄性には優れるが、背中や足裏部分に対する摩擦力不足により身体の部位によっては使用に適さないところから別途摩擦力の強いボディタオルを用意する必要があり煩わしさが残るのが避けられない。
【０００８】
さらにボディタオルの表面側と背面側とで肌当り硬さの異なる構成としたボディタオルや、あるいは肌当りの硬いボディタオルと肌当りの柔らかいボディタオルを重ね合わせて、端部を相互に縫い合わせることにより１枚のボディタオルとする試作もおこなったが、編み方が複雑となったり、また使い勝手が悪くなったり、さらに著しくコスト高となる等の課題があり、結局は実用的な商品を得ることができなかった。
【課題を解決するための手段】
【０００９】
上記の課題を解決するとともに、とくに本考案においては１枚のボディタオルによって、身体の使用箇所における皮膚面の性状如何により自由に使い分け可能であるとともに、実用的でしかも低コストのボディタオルを得ることができるようにしたものであって、具体的には経糸と緯糸により組成されたボディタオルの中心から略半面部を肌当たりの比較的硬質の組成とするとともに、残り反面部を肌当たりの比較的軟質の組成としたことを特徴とするボディタオルに関する。
【００１０】
また本考案は、経糸と緯糸により中心から略半面部を肌当たりの比較的硬質に組成するとともに、残り半面部を、略等間隔に引き揃えられた複数本の経糸を、所定の間隔の空部を介して繰り返し配置するとともに、該経糸に対し、緯糸を打ち込んで該緯糸の前記空部に対応する部分が渡り糸となるようにすることにより肌当たりの比較的軟質の組成としたことを特徴とするボディタオルにも関する。
【考案の効果】
【００１１】
本考案は上記したように、経糸と緯糸により組成されたボディタオルの中心から略半面部を肌当たりの比較的硬質の組成とするとともに、残り反面部を肌当たりの比較的軟質の組成としたために、中心から半面部の肌当たりの比較的硬質に組成された部分と、残り半面部の肌当たりの比較的軟質に組成された部分とを、身体の使用箇所における皮膚面の性状如何により１枚のボディタオルを長さ方向に沿って中心から２つ折りして使用するなどにより硬質および軟質の組成部分を自由に使い分けが可能となる。
【００１２】
また、経糸と緯糸により中心から略半面部を肌当たりの比較的硬質に組成するとともに、残り半面部を、略等間隔に引き揃えられた複数本の経糸を、所定の間隔の空部を介して繰り返し配置するとともに、該経糸に対し、緯糸を打ち込んで該緯糸の前記空部に対応する部分が渡り糸となるようにしたために、渡り糸部分がタオルの表面においてループ状に突出し、ふんわりした軟質の接触感覚が生じて肌当りが柔らかになるばかりでなく、石鹸やシャンプー等を使用した場合の泡立ちが良好となり、また背中や足裏面などには垢擦り効果の大きな比較的硬質の接触感覚を有する硬質面を用いることにより、１枚のボディタオルをもって硬質部および軟質部の自在な使い分けが可能となる。
【００１３】
さらに上記の構成により、ボディタオルの表面側と背面側とで肌当り硬さの異なる構成としたボディタオルや、あるいは肌当りの硬いボディタオルと肌当りの柔らかいボディタオルを重ね合わせて、端部を相互に縫い合わせることにより１枚のボディタオルとしたものに比べて、編み方あるいは織り方が複雑とならず、使い勝手がよく、しかも著しく低コストの実用品を得ることができる。
【図面の簡単な説明】
【００１４】
【図１】本考案に係るボディタオルの一例をあらわした斜視図。
【図２】図１におけるＢ部分の拡大写真図。
【考案を実施するための形態】
【００１５】
以下において本考案の実施の形態について詳細に説明をする。図１は本考案に係るボディタオルの一実施例をあらわしたもので、長さ方向の中間部は省略してあらわされている。同図においてボディタオル１は、その幅方向における略中間部を境とした長さ方向に連続するＡーＡ線境界部を有しており、この境界部を境として片側の略半面部に比較的硬質に組成した少し硬めの肌触りを有する面の部分２と、比較的軟質に組成した少し柔らかめの肌触りを有する面の部分３とより構成されている。
【００１６】
詳細は図１のＡーＡ線境界部を跨いだ部分の一部Ｂを拡大してあらわした図２にあらわされている通りである。すなわち片側の少し硬めの肌触りを有する面の部分２は、経糸（ボディタオルの長さ方向、つまりＡ−Ａ線に平行方向に向けた糸）４と、該経糸４・４間に挿入される緯糸（経糸４と交差方向に向けられた糸）５・５から構成されている。この部分２の構成については従来の一般的な編地あるいは織り地、例えば特開平８−１９４８８号公報、あるいは特開２０００−３４２４８１号公報に記載されているもの等のものと同程度の材料・太さ・手法による組地・編地でよい。
【００１７】
さらにもう片側の、少し柔らかめの肌触りを有する面の部分３は、本考案者らが開発した特許第４３８５０２９号公報（既述した特許文献３）に記載されているものと同一の手法により編成あるいは織成をする。すなわち略等間隔に引き揃えられた複数本の経糸４を、所定の間隔の空部４ａを介して繰り返し配置するとともに、該経糸４に対し、緯糸５を打ち込んで該緯糸５の前記空部４ａに対応する部分が渡り糸となるように構成する。
【００１８】
このようにすると、渡り糸部分がタオルの表面において捲縮あるいはクリンプした状態となり、あるいはループ状にボディタオル１の側面方向に突出してふんわりとした軟質の接触感覚が生じて肌当りが柔らかになるばかりでなく、石鹸やシャンプー等を使用した場合の泡立ちを良好とすることができる。さらに前記した少し硬めの肌触りを有する面の部分２と合わせて背中や足裏面などには垢擦り効果の大きな比較的硬質の接触感覚を有する硬質面を用いることにより、１枚のボディタオルをもって硬質部および軟質部の自在な使い分けが可能になる。
【００１９】
なお、本考案において用いられる経糸４については、２０〜５０デニール程度のナイロンやポリエステルなどの合成樹脂性のフィラメント糸が用いられる。また緯糸５については、７０〜１５００デニール程度の、一般的に上記した経糸４よりも太い繊度の異なる合成樹脂性のフィラメント糸が用いられる。この場合に７０デニール未満であると、比較的軟質の肌触り感覚や、好適な泡立ち性が得られにくく、また反対に１５００デニールを超えると後記する織成工程での量産化が困難になるので７０〜１５００デニールの範囲内であるのが好ましい。なおこの場合に緯糸５としては紡績糸の使用も可能である。
【００２０】
具体的な織成工程については、少し硬めの肌触りを有する面の部分２については従来の一般的な工程、つまりウォータジェットルームまたはエアージェットルーム等で織成される。これに対し、少し柔らかめの肌触りを有する面の部分３については、特許第４３８５０２９号公報に記載された手法により織成される。
【００２１】
つまり少し柔らかめの肌触りを有する面の部分３の織成について、とくに図示はしていないが整経ビームに巻回された経糸を繰り出しつつワイヤーヘルドを介して筬に引き通し、この筬の一目に上側糸となる３本と下側糸となる３本の合計６本の経糸４を挿通させる。なおこの場合必ずしも上側糸と下側糸とが各３本である必要はなく、適宜本数を増減させることができる。
【００２２】
上記した６本の経糸４の挿通を３目続けた後、続く３目を空部４ａとし、さらに筬の別の一目に合計６本の経糸４を挿通するのを３目続けるようにし、以後これを繰り返すことにより本考案における柔らかめの肌触りを有する面の部分３を形成する。なおこの場合に上記した空部４ａについては必ずしも３目でなくともよく、この場合使用する緯糸５の太さが細い場合には４目以上にしてもよく、逆に緯糸５の太さが細い場合には２目でも足りる場合がある。
【００２３】
さらにワイヤヘルドの上下動により交互に開口する筬前部分に、ウオータジェットなどにより開口に織度の異なる緯糸５が、予め設定されたパターンにて打ち込まれることによりボディタオルの素材が形成され、乾燥後熱処理工程を経て長尺のボディタオル材が順次出来上がり、これを適当な長さに裁断し、端部を縫製して本考案のボディタオル１を完成させる。なお本考案品の製造には、必ずしも既述した織成工程を経ることに限られるものではなく、ウオータージェットやエアージェットなどのほかに別の編織機械を用いて編成したものであってもよい。
【符号の説明】
【００２４】
１      ボディタオル
２      硬めの肌触りを有する面の部分
３      柔らかめの肌触りを有する面の部分
４      経糸
４ａ    空部
５      緯糸
【図１】
0003161657.tif 000003
【図２】
0003161657.tif 000004
【手続補正書】
【提出日】平成22年5月31日(2010.5.31)
【手続補正１】
【補正対象書類名】明細書
【補正対象項目名】００１６
【補正方法】変更
【補正の内容】
【００１６】
詳細は図１のＡーＡ線境界部を跨いだ部分の一部Ｂを拡大してあらわした図２にあらわされている通りである。すなわち片側の少し硬めの肌触りを有する面の部分２は、経糸（ボディタオルの長さ方向、つまりＡ−Ａ線に平行方向に向けた糸）４と、該経糸４・４間に挿入される緯糸（経糸４と交差方向に向けられた糸）５・５から構成されている。この部分２の構成については従来の一般的な編地あるいは織り地、例えば特開平８−１９４８８号公報、あるいは特開２０００−３４２４８１号公報に記載されているもの等のものと同程度の材料・太さ・手法による織地・編地でよい。